(57)【要約】【課題】搬送システムに異常が生じたとしても継続して搬送装置に第二搬送情報を送信することができながら、管理装置の負荷の増大を回避できる物品搬送設備を提供する。【解決手段】複数の搬送装置を制御する制御システム１５は、第一記憶部２５と第一指示部２７とを備えた第一サーバー２３と、第二記憶部２６と第二指示部２８とを備えた第二サーバー２４と、を備え、制御システム１５は、第一状態では、第一記憶部２５が、第一搬送情報を第一指示部２７に送信すると共に、第一指示部２７が、対象搬送装置に第二搬送情報を送信し、且つ、第一指示部２７と第二指示部２８とで指示部情報を共有し、第一状態において第一指示部２７が正常に動作しなくなった場合に、第二状態となり、第二状態では、第一記憶部２５が、第一搬送情報を第二指示部２８に送信すると共に、第二指示部２８が、指示部情報に基づいて対象搬送装置に第二搬送情報を送信する。【選択図】図３
2018128863.tif 000002
【特許請求の範囲】
【請求項１】
物品を搬送する複数の搬送装置を制御する制御システムを備えた物品搬送設備であって、
前記制御システムは、管理装置と機械的に分離されると共に、前記管理装置からの第一搬送情報に基づいて複数の前記搬送装置に向けて第二搬送情報を送信する第一サーバー及び第二サーバーを備え、
前記第一サーバーは、第一記憶部と第一指示部とを備え、
前記第二サーバーは、前記第一サーバーと機械的に分離されると共に、第二記憶部と第二指示部とを備え、
前記第一記憶部は、前記管理装置からの前記第一搬送情報を受信して記憶すると共に前記第一搬送情報を前記第一指示部又は前記第二指示部に送信可能に構成され、
前記第二記憶部は、前記管理装置からの前記第一搬送情報を受信して記憶すると共に前記第一搬送情報を前記第一指示部又は前記第二指示部に送信可能に構成され、
前記第一指示部は、前記第一記憶部又は前記第二記憶部からの前記第一搬送情報と、複数の前記搬送装置の状態を示す装置情報と、に基づいて、複数の前記搬送装置のうちから対象搬送装置を選択して前記対象搬送装置に前記第二搬送情報を送信可能に構成され、
前記第二指示部は、前記第一搬送情報と前記装置情報とに基づいて、前記対象搬送装置を選択して前記対象搬送装置に前記第二搬送情報を送信可能に構成され、
前記制御システムの制御状態には、前記第一記憶部が受信した前記第一搬送情報に基づいて、前記第一指示部と前記第二指示部とのうち、前記第一指示部から前記対象搬送装置に前記第二搬送情報を送信する第一状態と、前記第一記憶部が受信した前記第一搬送情報に基づいて、前記第一指示部と前記第二指示部とのうち、前記第二指示部から前記対象搬送装置に前記第二搬送情報を送信する第二状態と、が含まれ、
前記第一記憶部及び前記第一指示部が正常に動作している状態では、前記第一状態となり、前記第一状態において前記第一指示部が正常に動作しなくなった場合で且つ前記第二指示部が正常に動作している場合に、前記第二状態となり、
前記第一状態では、前記第一記憶部が、前記第一搬送情報を前記第一指示部に送信すると共に、前記第一指示部が、前記装置情報と前記第一搬送情報とに基づいて前記対象搬送装置に前記第二搬送情報を送信し、且つ、前記第二指示部に前記装置情報及び前記第一搬送情報を送信して、前記第一指示部と前記第二指示部とで指示部情報を共有し、
前記第二状態では、前記第一記憶部が、前記第一搬送情報を前記第二指示部に送信すると共に、前記第二指示部が、前記指示部情報に基づいて前記対象搬送装置に前記第二搬送情報を送信する物品搬送設備。
【請求項２】
前記制御システムの制御状態には、更に、前記第二記憶部が受信した前記第一搬送情報に基づいて、前記第一指示部と前記第二指示部とのうち、前記第一指示部から前記対象搬送装置に前記第二搬送情報を送信する第三状態が含まれ、
前記第一状態において前記第一記憶部が正常に動作しなくなった場合で且つ前記第二記憶部が正常に動作している場合に、前記第三状態となり、
前記第一状態では、前記第一搬送情報を前記第二記憶部に送信して、前記第一記憶部と前記第二記憶部とで記憶部情報を共有し、
前記第三状態では、前記第二記憶部が、前記記憶部情報に基づいて前記第一搬送情報を前記第一指示部に送信すると共に、前記第一指示部が、前記装置情報と前記第一搬送情報とに基づいて前記対象搬送装置に前記第二搬送情報を送信する請求項１に記載の物品搬送設備。
【請求項３】
前記制御システムは、前記第一状態において第一アップデート処理を行い、
前記第一アップデート処理は、前記第二記憶部の前記管理装置からの受信及び前記第一記憶部からの受信を切断し、前記第二記憶部のアップデートを行い、前記第一アップデート処理が完了した後、前記第一記憶部から前記第二記憶部に情報を送信して、前記第一記憶部と前記第二記憶部とで前記記憶部情報を共有し、その後、前記第一記憶部及び前記第一指示部の動作と並行して前記第二記憶部及び前記第二指示部を動作させてこれら前記第二記憶部及び前記第二指示部の動作確認処理を行う請求項２に記載の物品搬送設備。
【請求項４】
前記制御システムは、前記第一アップデート処理後における動作確認処理において問題が生じなければ、前記第一状態から前記第三状態に切り換えた後、第二アップデート処理を行い、
第二アップデート処理は、前記第一記憶部が前記管理装置からの受信及び前記第二記憶部からの受信を切断し、前記第一記憶部のアップデートを行い、前記第二アップデート処理が完了した後、前記第二記憶部から前記第一記憶部に情報を送信して、前記第一記憶部と前記第二記憶部とで前記記憶部情報を共有し、その後、前記第二記憶部及び前記第一指示部の動作と並行して前記第一記憶部及び前記第二指示部の動作確認処理を行い、この動作確認処理が完了した後、前記第一状態に復帰する請求項３に記載の物品搬送設備。
【請求項５】
前記制御システムの制御状態には、更に、前記第二記憶部が受信した搬送情報に基づいて、前記第一指示部と前記第二指示部とのうち、前記第二指示部から前記対象搬送装置に前記搬送情報を送信する第四状態が含まれ、
前記第一記憶部、前記第一指示部、前記第二記憶部、及び前記第二指示部が正常に動作している状態では、前記第一状態となり、前記第一状態において前記第一記憶部及び前記第一指示部の双方が正常に動作しなくなった場合には、前記第四状態となり、
前記第四状態は、前記第二記憶部が、前記記憶部情報に基づいて、前記第一搬送情報を前記第二指示部に送信すると共に、前記第二指示部が、前記指示部情報に基づいて前記対象搬送装置に前記第二搬送情報を送信する請求項２から４のいずれか一項に記載の物品搬送設備。
【請求項６】
複数の前記搬送装置が、天井近くに設置された走行レールに沿って走行して物品を搬送する天井搬送車であって、
前記第一搬送情報及び前記第二搬送情報が、前記天井搬送車によって物品を搬送する搬送元と搬送先とを示す情報である請求項１から５のいずれか一項に記載の物品搬送設備。
【発明の詳細な説明】
【技術分野】
【０００１】
本発明は、物品を搬送する複数の搬送装置を制御する制御システムを備えた物品搬送設備に関する。
【背景技術】
【０００２】
かかる物品搬送設備の従来例が、特開２０１３−０３０００３号公報（特許文献１）に記載されている。特許文献１の物品搬送設備は、管理装置（上位コントローラＪＣ）から送信された第一搬送情報を受信する制御システム（搬送コントローラＨＣ）が備えられており、この制御システムは、管理装置からの第一搬送情報と複数の搬送装置の状態を示す装置情報とに基づいて、複数の搬送装置のうちから対象搬送装置を選択して対象搬送装置に第二搬送情報を送信可能に構成されている。第二搬送情報を受信した対象搬送装置は、第二搬送情報に基づいて物品を搬送するように作動する。
【先行技術文献】
【特許文献】
【０００３】
【特許文献１】特開２０１３−０３０００３号公報
【発明の概要】
【発明が解決しようとする課題】
【０００４】
しかし、特許文献１の物品搬送設備では、制御システムの一部、例えば、対象搬送装置を選択するためのアプリケーションが異常終了した場合は、第二搬送情報を対象搬送装置に送信できなくなるため、搬送装置による物品の搬送が停止してしまう虞がある。また、このように制御システムに異常が生じた場合には、第一搬送情報を受け付けなくなる、又は、管理装置が制御システムの異常を検知することによって、管理装置が第一搬送情報を搬送システムに送信することを停止し、搬送システムに送信すべき第一搬送情報が上位コントローラに蓄積されて、管理装置の負荷が増大することが考えられる。
【０００５】
そこで、搬送システムに異常が生じたとしても継続して搬送装置に第二搬送情報を送信することができながら、管理装置の負荷の増大を回避できる物品搬送設備の実現が望まれる。
【課題を解決するための手段】
【０００６】
上記に鑑みた、物品搬送設備の特徴構成は、物品を搬送する複数の搬送装置を制御する制御システムを備え、
前記制御システムは、管理装置と機械的に分離されると共に、前記管理装置からの第一搬送情報に基づいて複数の前記搬送装置に向けて第二搬送情報を送信する第一サーバー及び第二サーバーを備え、前記第一サーバーは、第一記憶部と第一指示部とを備え、前記第二サーバーは、前記第一サーバーと機械的に分離されると共に、第二記憶部と第二指示部とを備え、前記第一記憶部は、前記管理装置からの前記第一搬送情報を受信して記憶すると共に前記第一搬送情報を前記第一指示部又は前記第二指示部に送信可能に構成され、前記第二記憶部は、前記管理装置からの前記第一搬送情報を受信して記憶すると共に前記第一搬送情報を前記第一指示部又は前記第二指示部に送信可能に構成され、前記第一指示部は、前記第一記憶部又は前記第二記憶部からの前記第一搬送情報と、複数の前記搬送装置の状態を示す装置情報と、に基づいて、複数の前記搬送装置のうちから対象搬送装置を選択して前記対象搬送装置に前記第二搬送情報を送信可能に構成され、前記第二指示部は、前記第一搬送情報と前記装置情報とに基づいて、前記対象搬送装置を選択して前記対象搬送装置に前記第二搬送情報を送信可能に構成され、前記制御システムの制御状態には、前記第一記憶部が受信した前記第一搬送情報に基づいて、前記第一指示部と前記第二指示部とのうち、前記第一指示部から前記対象搬送装置に前記第二搬送情報を送信する第一状態と、前記第一記憶部が受信した前記第一搬送情報に基づいて、前記第一指示部と前記第二指示部とのうち、前記第二指示部から前記対象搬送装置に前記第二搬送情報を送信する第二状態と、が含まれ、前記第一記憶部及び前記第一指示部が正常に動作している状態では、前記第一状態となり、前記第一状態において前記第一指示部が正常に動作しなくなった場合で且つ前記第二指示部が正常に動作している場合に、前記第二状態となり、前記第一状態では、前記第一記憶部が、前記第一搬送情報を前記第一指示部に送信すると共に、前記第一指示部が、前記装置情報と前記第一搬送情報とに基づいて前記対象搬送装置に前記第二搬送情報を送信し、且つ、前記第二指示部に前記装置情報及び前記第一搬送情報を送信して、前記第一指示部と前記第二指示部とで指示部情報を共有し、前記第二状態では、前記第一記憶部が、前記第一搬送情報を前記第二指示部に送信すると共に、前記第二指示部が、前記指示部情報に基づいて前記対象搬送装置に前記第二搬送情報を送信する点にある。
【０００７】
これらの特徴構成によれば、第一状態の搬送システムでは、第一記憶部は、管理装置からの第一搬送情報を第一指示部に送信し、第一指示部は、第一記憶部からの第一搬送情報と複数の搬送装置の状態を示す装置情報とに基づいて、複数の搬送装置のうちから対象搬送装置を選択して対象搬送装置に第二搬送情報を送信することができる。また、この第一状態の搬送システムでは、第二指示部にも装置情報及び第一搬送情報が送信されているため、第一指示部と第二指示部とで、装置情報及び第一搬送情報を含む指示部情報を共有できる。
そして、搬送システムが第一状態で運用している状態において第一指示部に異常が生じた場合には、搬送システムの制御状態を第一状態から第二状態に切り換えることによって、第二指示部が、指示部情報に基づいて対象搬送装置に第二搬送情報を送信する。つまり、上述の如く、第一指示部に異常が生じた場合でも、第二搬送情報を対象搬送装置に送信できるため、搬送装置による物品の搬送の停止を回避できる。
そして、搬送システムは、制御状態が第一状態の場合と第二状態の場合との双方で管理装置からの第一搬送情報を受信できるため、搬送システムに送信すべき第一搬送情報が管理装置に蓄積することによる管理装置の負荷の増大を回避できる。
【０００８】
ちなみに、制御システムの制御状態が第一状態から第二状態に切り換えられた当初は、第二状態になったから第二指示部が新たに第一搬送情報や装置情報を受信していない場合があり、このような場合は、第二指示部は、第一状態において共有していた指示部情報に基づいて対象物品搬送車を選択して当該対象物品搬送車に第二搬送情報を送信できる。
そして、制御システムの制御状態が、第一状態から第二状態に切り換えられた後、対象物品搬送車を選択して当該対象物品搬送車に第二搬送情報を送信することが可能となる分の第一搬送情報と装置情報を第二指示部が受信している場合は、第二指示部は、第一状態の第一指示部と同様に、第二状態に切り換わってから受信した第一搬送情報と装置情報とに基づいて対象物品搬送車を選択して当該対象物品搬送車に第二搬送情報を送信できる。
【図面の簡単な説明】
【０００９】
【図１】物品搬送設備の平面図
【図２】物品搬送設備の通信構成を示す図
【図３】搬送車制御システムを示す図
【図４】第一状態の搬送車制御システムを示す図
【図５】第一指示部に異常が生じた搬送車制御システムを示す図
【図６】第二状態の搬送車制御システムを示す図
【図７】第一記憶部に異常が生じた搬送車制御システムを示す図
【図８】第三状態の搬送車制御システムを示す図
【図９】第一記憶部と第一指示部との双方に異常が生じた搬送車制御システムを示す図
【図１０】第四状態の搬送車制御システムを示す図
【図１１】第二指示部のアップデート中の搬送車制御システムを示す図
【図１２】第二指示部のアップデート後の搬送車制御システムを示す図
【図１３】第一指示部のアップデート中の搬送車制御システムを示す図
【図１４】第一指示部のアップデート後の搬送車制御システムを示す図
【図１５】アップデート後に第一状態に切り換えた搬送車制御システムを示す図
【図１６】第二記憶部のアップデート中の搬送車制御システムを示す図
【図１７】第二記憶部のアップデート後の搬送車制御システムを示す図
【図１８】第一記憶部のアップデート中の搬送車制御システムを示す図
【図１９】第一記憶部のアップデート後の搬送車制御システムを示す図
【図２０】アップデート後に第一状態に切り換えた搬送車制御システムを示す図
【発明を実施するための形態】
【００１０】
１．実施形態
物品搬送設備の実施形態について図面に基づいて説明する。
図１に示すように、物品搬送設備は、走行経路１に沿って設置された走行レール２（図２参照）上を走行経路１に沿って走行する物品搬送車３と、物品を収納する自動倉庫Ｒと、を備えている。走行レール２は、天井近くに設置されており、物品搬送車３は、走行レール２に沿って走行して物品を搬送する。尚、物品搬送車３が、物品を搬送する搬送装置（天井搬送車）に相当する。また、本実施形態では、物品搬送車３は、半導体基板を収容するＦＯＵＰ（Front Opening Unified Pod）を物品として搬送する。
【００１１】
図１に示すように、走行経路１は、２つの主経路４と、複数の物品処理部Ｐを経由する複数の副経路５と、を備えている。２つの主経路４及び複数の副経路５の夫々は、環状に形成されている。
２つの主経路４は、２重の環状となる状態で設けられている。これら２つの環状の主経路４は、物品搬送車３が同じ方向周り（反時計回り）で走行する経路である。尚、図１においては、物品搬送車３の走行方向を、矢印にて示している。
【００１２】
２つの主経路４のうち、内側の主経路４を第一主経路４Ａとし、外側の主経路４を第二主経路４Ｂとして、説明する。
第一主経路４Ａは、複数の自動倉庫Ｒを経由するように設定されている。第一主経路４Ａを、自動倉庫Ｒとの間で物品を移載するために物品搬送車３を停止させる物品移載用の経路として用い、第二主経路４Ｂを、物品搬送車３を連続して走行させる連続走行用の経路として用いている。
【００１３】
走行経路１には、短絡経路６、分岐経路７、合流経路８、及び、乗継経路９が備えられている。
短絡経路６は、第一主経路４Ａにおける互いに平行で且つ直線状に延びる一対の部分の夫々に接続されている。この短絡経路６は、第一主経路４Ａにおける直線状に延びる一対の部分の一方から他方又は他方から一方に物品搬送車３を走行させるための経路である。
分岐経路７は、第二主経路４Ｂと副経路５とに接続されており、第二主経路４Ｂから副経路５に物品搬送車３を走行させるための経路である。合流経路８は、副経路５と第二主経路４Ｂとに接続されており、副経路５から第二主経路４Ｂに物品搬送車３を走行させるための経路である。
乗継経路９は、第一主経路４Ａと第二主経路４Ｂとに接続されており、第一主経路４Ａから第二主経路４Ｂ又は第二主経路４Ｂから第一主経路４Ａに物品搬送車３を走行させるための経路である。
【００１４】
物品搬送車３は、物品処理部Ｐに対応する位置に停止した状態で物品処理部Ｐとの間で物品を授受可能に構成されており、自動倉庫Ｒに対応する位置に停止した状態で自動倉庫Ｒとの間で物品を授受可能に構成されている。そして、物品搬送車３は、複数の物品処理部Ｐ及び複数の自動倉庫Ｒのうちの一つを搬送元、残る複数の物品処理部Ｐ及び複数の自動倉庫Ｒのうちの一つを搬送先として、搬送元から搬送先に物品を搬送する。
【００１５】
詳細な説明は省略するが、自動倉庫Ｒは、搬送コンベヤ、スタッカークレーン、物品収納棚を備えている。物品収納棚は、物品を収納する収納部が複数備えられている。自動倉庫Ｒは、天井搬送車から受け取った物品は入出庫部１０に支持されており、搬送コンベヤとスタッカークレーンとによって、入出庫部１０から複数の収納部の一つに搬送する。また、自動倉庫Ｒは、物品収納棚の収納部に収納されている物品を、スタッカークレーンと搬送コンベヤとによって、入出庫部１０に搬送する。
【００１６】
図２に示すように、物品搬送設備は、上位管理装置１３と下位管理装置１４と搬送車制御システム１５と倉庫制御システム１６とが備えられている。これら上位管理装置１３と下位管理装置１４と搬送車制御システム１５と倉庫制御システム１６とは、機械的に分離されている。そして、上位管理装置１３と下位管理装置１４とは通信回線Ｌにより互いに接続されており、上位管理装置１３と下位管理装置１４との間で情報を通信可能に構成されている。また、下位管理装置１４と搬送車制御システム１５及び倉庫制御システム１６とも通信回線Ｌにより互いに接続されており、下位管理装置１４と搬送車制御システム１５及び倉庫制御システム１６との間で情報を通信可能に構成されている。尚、搬送車制御システム１５は、物品を搬送する複数の物品搬送車３（搬送装置）に制御する制御システムに相当する。また、下位管理装置１４は、搬送車制御システム１５に第一搬送情報を送信する管理装置に相当する。
【００１７】
上位管理装置１３は、物品の搬送元と搬送先とを示す搬送情報を下位管理装置１４に送信する。具体的には、例えば、複数の物品処理部Ｐのうちの一つを搬送元、複数の自動倉庫Ｒの一つにおける搬送した物品を収納する収納部を搬送先として、これらを搬送元と搬送先とを示す情報を搬送情報として下位管理装置１４に送信する。
【００１８】
下位管理装置１４は、複数の物品処理部Ｐ及び複数の自動倉庫Ｒのうちの一つを第一搬送元、残る複数の物品処理部Ｐ及び複数の自動倉庫Ｒのうちの一つを第一搬送先として、これらの第一搬送元と第一搬送先とを示す第一搬送情報を、搬送車制御システム１５に送信する。具体的には、例えば、下位管理装置１４は、搬送情報において搬送元として示されている物品処理部Ｐを第一搬送元、搬送情報において搬送先として示されている収納部を有する自動倉庫Ｒを第一搬送先として、これらを第一搬送元と第一搬送先とを示す第一搬送情報を、搬送車制御システム１５に送信する。このように、下位管理装置１４は、搬送情報に基づいて、物品搬送車３が搬送可能な範囲内において第一搬送元と第一搬送先とを設定して、これら第一搬送元と第一搬送先とを示す第一搬送情報を搬送車制御システム１５に送信する。
【００１９】
また、下位管理装置１４は、入出庫部１０及び複数の収納部のうちの一つを第二搬送元、残る入出庫部１０及び複数の収納部のうちの一つを第二搬送先として、これらの第二搬送元と第二搬送先とを示す第三搬送情報を、倉庫制御システム１６に送信する。具体的には、例えば、下位管理装置１４は、入出庫部１０を第二搬送元、搬送情報において搬送先として示されている収納部を第二搬送先として、これらの第二搬送元と第二搬送先とを示す第三搬送情報を、倉庫制御システム１６に送信する。
【００２０】
物品搬送設備には、複数の無線通信部１８が備えられている。搬送車制御システム１５と無線通信部１８とは通信回線Ｌにより互いに接続されており、搬送車制御システム１５と無線通信部１８との間で情報を通信可能に構成されている。また、複数の物品搬送車３は無線通信部１８との間で無線通信可能に構成されている。つまり、搬送車制御システム１５は、通信回線Ｌと無線通信部１８を介して、物品搬送車３との間で情報を通信可能に構成されている。
搬送車制御システム１５は、下位管理装置１４からの第一搬送情報に基づいて複数の物品搬送車３（詳しくは、複数の物品搬送車３から選択した１台の物品搬送車３）に向けて第二搬送情報を送信する。また、搬送車制御システム１５は、複数の物品搬送車３から送信された装置情報を受信する。この装置情報は、例えば、物品搬送車３の位置情報や第二搬送情報に対して物品搬送車３が物品の搬送が完了したことを示す情報である。ちなみに、第二搬送情報を受信した物品搬送車３は、第一搬送元から第一搬送先に物品を搬送するように動作する。
【００２１】
自動倉庫Ｒには、搬送コンベヤを制御するコンベヤ制御部１９やスタッカークレーンを制御するクレーン制御部２０が備えられている。倉庫制御システム１６とコンベヤ制御部１９やクレーン制御部２０とは通信回線Ｌにより互いに接続されており、倉庫制御システム１６とコンベヤ制御部１９やクレーン制御部２０との間で情報を通信可能に構成に構成されている。倉庫制御システム１６は、下位管理装置１４からの第三制御情報に基づいて、コンベヤ制御部１９やクレーン制御部２０に情報を送信する。倉庫制御システム１６から情報を受信したコンベヤ制御部１９やクレーン制御部２０は、第二搬送元から第二搬送先に物品を搬送するように、搬送コンベヤやスタッカークレーンを制御する。
【００２２】
次に、搬送車制御システム１５について説明を加える。
図３に示すように、搬送車制御システム１５は、第一サーバー２３及び第二サーバー２４を備えている。第一サーバー２３は、下位管理装置１４からの第一搬送情報に基づいて複数の物品搬送車３に向けて第二搬送情報を送信可能に構成されている。第二サーバー２４も、第一サーバー２３と同様に、下位管理装置１４からの第一搬送情報に基づいて複数の物品搬送車３に向けて第二搬送情報を送信可能に構成されている。
下位管理装置１４は、第一サーバー２３と第二サーバー２４との双方に第一搬送情報を送信する。また、第一サーバー２３及び第二サーバー２４は、装置情報等の各種情報を下位管理装置１４に送信する。
【００２３】
第一サーバー２３は、第一記憶部２５と第一指示部２７とを備えている。第二サーバー２４は、第一サーバー２３と機械的に分離されると共に、第二記憶部２６と第二指示部２８とを備えている。説明を加えると、第一サーバー２３は、アプリケーションを記憶部層と指示部層との二層構造となっており、第一サーバー２３の記憶部層に第一記憶部２５が備えられており、第一サーバー２３の指示部層に第一指示部２７が備えられている。また、第二サーバー２４も、第一サーバー２３と同様に、アプリケーションを記憶部層と指示部層との二層構造となっており、第二サーバー２４の記憶部層に第二記憶部２６が備えられており、第二サーバー２４の指示部層に第二指示部２８が備えられている。
【００２４】
第一記憶部２５及び第二記憶部２６は、通信回線Ｌを介して上位管理装置１３に接続されており、上位管理装置１３との間で情報を通信可能に構成されている。第一指示部２７及び第二指示部２８は、通信回線Ｌを介して無線通信部１８に接続されており、複数の物品搬送車３との間で情報を通信可能に構成されている。
また、第一記憶部２５と第一指示部２７とは、第一サーバー２３内において情報を通信可能に構成されており、第二記憶部２６と第二指示部２８とは、第二サーバー２４内において情報を通信可能に構成されている。また、第一サーバー２３と第二サーバー２４とは回線（図示せず）により通信可能に接続されており、第一記憶部２５と第二記憶部２６、第一記憶部２５と第二指示部２８、第一指示部２７と第二記憶部２６、第一指示部２７と第二指示部２８、の間で情報を通信可能に構成されている。
【００２５】
第一記憶部２５は、第一搬送情報を第一指示部２７及び第二指示部２８に送信し、第一指示部２７は、第一記憶部２５からの第一搬送情報を受信したことを示す応答情報を第一記憶部２５に送信すると共に、第二指示部２８は、第一記憶部２５からの第一搬送情報を受信したことを示す応答情報を第一記憶部２５に送信する。そして、第一記憶部２５は、第一搬送情報を第一指示部２７に送信した後、一定時間内に第一指示部２７からの応答情報がない場合に、第一指示部２７との通信が途切れたとして、第一指示部２７が正常に動作しなくなったと判断する。また、第一記憶部２５は、第一搬送情報を第二指示部２８に送信した後、一定時間内に第二指示部２８からの応答情報がない場合に、第二指示部２８との通信が途切れたとして、第二指示部２８が正常に動作しなくなったと判断する。
また、第一記憶部２５は、装置情報を第二記憶部２６に送信し、第二記憶部２６は、第一記憶部２５から装置情報を受信したことを示す応答情報を第一指示部２７に送信する。そして、第一記憶部２５は、装置情報を第二記憶部２６に送信した後、一定時間内に第二記憶部２６からの応答情報がない場合に、第二記憶部２６との通信が途切れたとして、第二記憶部２６が正常に動作しなくなったと判断する。
また、同様に、第二記憶部２６は、第一搬送情報を第一指示部２７に送信した後、一定時間内に第一指示部２７からの応答情報がない場合に、第一指示部２７との通信が途切れたとして、第一指示部２７が正常に動作しなくなったと判断する。第二記憶部２６は、第一搬送情報を第二指示部２８に送信した後、一定時間内に第二指示部２８からの応答情報がない場合に、第二指示部２８との通信が途切れたとして、第二指示部２８が正常に動作しなくなったと判断する。第二記憶部２６は、装置情報を第一記憶部２５に送信した後、一定時間内に第一記憶部２５からの応答情報がない場合に、第一記憶部２５との通信が途切れたとして、第一記憶部２５が正常に動作しなくなったと判断する。
【００２６】
第一記憶部２５は、上位管理装置１３からの第一搬送情報を受信して記憶すると共に第一搬送情報を第一指示部２７又は第二指示部２８に送信可能に構成されている。
第二記憶部２６は、管理装置からの第一搬送情報を受信して記憶すると共に第一搬送情報を第一指示部２７又は第二指示部２８に送信可能に構成されている。
第一指示部２７は、第一記憶部２５又は第二記憶部２６からの第一搬送情報と、複数の物品搬送車３の状態を示す装置情報と、に基づいて、複数の物品搬送車３のうちから対象物品搬送車３Ｔを選択して対象物品搬送車３Ｔに第二搬送情報を送信可能に構成されている。
第二指示部２８は、第一搬送情報と装置情報とに基づいて、対象物品搬送車３Ｔを選択して対象物品搬送車３Ｔに第二搬送情報を送信可能に構成されている。
【００２７】
搬送車制御システム１５の制御状態には、第一状態（図４参照）と第二状態（図６参照）と第三状態（図８参照）と第四状態（図１０参照）とがある。
図４に示すように、第一状態では、第一記憶部２５が受信した第一搬送情報に基づいて、第一指示部２７と第二指示部２８とのうち、第一指示部２７から対象物品搬送車３Ｔに第二搬送情報を送信する。図６に示すように、第二状態では、第一記憶部２５が受信した第一搬送情報に基づいて、第一指示部２７と第二指示部２８とのうち、第二指示部２８から対象物品搬送車３Ｔに第二搬送情報を送信する。図８に示すように、第三状態では、第二記憶部２６が受信した第一搬送情報に基づいて、第一指示部２７と第二指示部２８とのうち、第一指示部２７から対象物品搬送車３Ｔに第二搬送情報を送信する。図１０に示すように、第四状態では、第二記憶部２６が受信した第一搬送情報に基づいて、第一指示部２７と第二指示部２８とのうち、第二指示部２８から対象物品搬送車３Ｔに搬送情報を送信する。
【００２８】
次に、搬送車制御システム１５の各制御状態について説明を加える。
図４に示すように、第一状態では、第一記憶部２５は、下位管理装置１４からの第一搬送情報を第一指示部２７及び第二指示部２８に送信すると共に、第一指示部２７からの装置情報を下位管理装置１４に送信し、更に、第一搬送情報及び装置情報を記憶する。また、第一状態では、第一指示部２７は、装置情報と第一搬送情報とに基づいて対象物品搬送車３Ｔに第二情報を送信すると共に、複数の物品搬送車３からの装置情報を第一記憶部２５に送信する。
そして、第一状態において、第二記憶部２６が正常に動作している状態では、第二記憶部２６に装置情報及び第一搬送情報を送信して、第一指示部２７と第二指示部２８とで記憶部情報を共有する。説明を加えると、下位管理装置１４からの第一搬送情報は、第一記憶部２５と第二記憶部２６との双方で受信すると共に、第一指示部２７からの装置情報は、第一記憶部２５が第二記憶部２６に送信することで、第一記憶部２５と第二記憶部２６とで第一搬送情報と装置情報とを共有している。このように、第一記憶部２５と第二記憶部２６とで第一搬送情報や装置情報を含む記憶部情報を共有している。尚、第二記憶部２６への第一搬送情報の送信については、下位管理装置１４から直接に送信するのではなく、第一記憶部２５が受信した第一搬送情報を第二記憶部２６に送信するようにしてもよい。
また、第一状態において、第二指示部２８が正常に動作している状態では、第二指示部２８に第一搬送情報、装置情報及び対象物品搬送車３Ｔの情報を送信して、第一指示部２７と第二指示部２８とで指示部情報を共有する。説明を加えると、第一記憶部２５からの第一搬送情報は、第一指示部２７と第二指示部２８との双方で受信すると共に、複数の物品搬送車３からの装置情報及び対象物品搬送車３Ｔの情報は、第一指示部２７が第二指示部２８に送信することで、第一指示部２７と第二指示部２８とで第一搬送情報と対象物品搬送車３Ｔの情報とを共有している。このように、第一指示部２７と第二指示部２８とで第一搬送情報、装置情報及び対象物品搬送車３Ｔの情報を含む指示部情報を共有している。尚、第二指示部２８への第一搬送情報の送信については、第一記憶部２５から送信するのではなく、第一指示部２７が受信した第一搬送情報を第二指示部２８に送信するようにしてもよい。
【００２９】
このように、第一状態の搬送車制御システム１５は、第一記憶部２５を主の記憶部（図４では、Ｍａｓｔｅｒと表記）とし、第一指示部２７を指示用の指示部（図４では、Ｉｎと表記）として、第一記憶部２５（主の記憶部）と第一指示部２７（指示用の指示部）とを用いて、下位管理装置１４や複数の物品搬送車３との間で各種情報を送受信している。そして、第一状態の搬送車制御システム１５は、第二記憶部２６が正常に動作している場合は、第二記憶部２６を副の記憶部（図４では、Ｓｈａｄｏｗと表記）として、第一記憶部２５（主の記憶部）と第二記憶部２６（副の記憶部）とで記憶部情報を共有する。また、第一状態の搬送車制御システム１５は、第二指示部２８が正常に動作している場合は、第二指示部２８を非指示用の指示部（図４では、Ｏｕｔと表記）として、第一指示部２７（指示用の指示部）と第二指示部２８（非指示用の指示部）とで指示部情報を共有する。
【００３０】
図６に示すように、第二状態では、第一状態に対して、第一指示部２７と第二指示部２８との役割が入れ替わる。つまり、第二状態の搬送車制御システム１５は、第一記憶部２５を主の記憶部とし、第二指示部２８を指示用の指示部として、第一記憶部２５（主の記憶部）と第二指示部２８（指示用の指示部）とを用いて、下位管理装置１４や複数の物品搬送車３との間で各種情報を送受信している。そして、第二状態の搬送車制御システム１５は、第二記憶部２６が正常に動作している場合は、第二記憶部２６を副の記憶部として、第一記憶部２５（主の記憶部）と第二記憶部２６（副の記憶部）とで記憶部情報を共有する。また、第二状態の搬送車制御システム１５は、第一指示部２７が正常に動作している場合は、第一指示部２７を非指示用の指示部として、第二指示部２８（指示用の指示部）と第一指示部２７（非指示用の指示部）とで指示部情報を共有する。
【００３１】
図８に示すように、第三状態では、第一状態に対して、第一記憶部２５と第二記憶部２６との役割が入れ替わる。つまり、第三状態の搬送車制御システム１５は、第二記憶部２６を主の記憶部とし、第一指示部２７を指示用の指示部として、第二記憶部２６（主の記憶部）と第一指示部２７（指示用の指示部）とを用いて、下位管理装置１４や複数の物品搬送車３との間で各種情報を送受信している。そして、第三状態の搬送車制御システム１５は、第一記憶部２５が正常に動作している場合は、第一記憶部２５を副の記憶部として、第二記憶部２６（主の記憶部）と第一記憶部２５（副の記憶部）とで記憶部情報を共有する。また、第三状態の搬送車制御システム１５は、第二指示部２８が正常に動作している場合は、第二指示部２８を非指示用の指示部として、第一指示部２７（指示用の指示部）と第二指示部２８（非指示用の指示部）とで指示部情報を共有する。
【００３２】
図１０に示すように、第四状態では、第一状態に対して、第一指示部２７と第二指示部２８との役割が入れ替わると共に、第一記憶部２５と第二記憶部２６との役割が入れ替わる。つまり、第四状態の搬送車制御システム１５は、第二記憶部２６を主の記憶部とし、第二指示部２８を指示用の指示部として、第二記憶部２６（主の記憶部）と第二指示部２８（指示用の指示部）とを用いて、下位管理装置１４や複数の物品搬送車３との間で各種情報を送受信している。そして、第四状態の搬送車制御システム１５は、第一記憶部２５が正常に動作している場合は、第一記憶部２５を副の記憶部として、第二記憶部２６（主の記憶部）と第一記憶部２５（副の記憶部）とで記憶部情報を共有する。また、第四状態の搬送車制御システム１５は、第一指示部２７が正常に動作している場合は、第一指示部２７を非指示用の指示部として、第二指示部２８（指示用の指示部）と第一指示部２７（非指示用の指示部）とで指示部情報を共有する。
【００３３】
次に、第一状態において、第一指示部２７が正常に動作しなくなった場合について説明する。
搬送車制御システム１５は、第一状態において、第一指示部２７が正常に動作しなくなったと第一記憶部２５が判断した場合は、図５に示すように、指示用の指示部を第一指示部２７から第二指示部２８に切り換えて、搬送車制御システム１５の制御状態を第二状態に切り換える。
このように、搬送車制御システム１５の制御状態は、第一記憶部２５及び第一指示部２７が正常に動作している状態では、第一状態となり、第一状態において第一指示部２７が正常に動作しなくなった場合で且つ第二指示部２８が正常に動作している場合に、第二状態となる。そして、搬送車制御システム１５は、第二状態において、第一記憶部２５が、第一搬送情報を第二指示部２８に送信すると共に、第二指示部２８が、第一搬送情報と装置情報と指示部情報とに基づいて対象物品搬送車３Ｔに第二搬送情報を送信する。
対象物品搬送車３Ｔに第二搬送情報を送信することについて説明を加えると、搬送車制御システム１５の制御状態が第一状態から第二状態に切り換えられた当初は、第二状態になったから第二指示部２８が新たに第一搬送情報や装置情報を受信していない場合があり、このような場合は、第二指示部２８は、第一状態において共有していた指示部情報のみに基づいて対象物品搬送車３Ｔを選択して当該対象物品搬送車３Ｔに第二搬送情報を送信する。そして、搬送車制御システム１５の制御状態が、第一状態から第二状態に切り換えられた後、対象物品搬送車３Ｔを選択して当該対象物品搬送車３Ｔに第二搬送情報を送信することが可能となる分の第一搬送情報と装置情報を第二指示部２８が受信している場合は、第二指示部２８は、第二状態に切り換わってから受信した第一搬送情報と装置情報とに基づいて対象物品搬送車３Ｔを選択して当該対象物品搬送車３Ｔに第二搬送情報を送信する。
【００３４】
次に、第一状態において、第一記憶部２５が正常に動作しなくなった場合について説明する。
搬送車制御システム１５は、第一状態において、第一記憶部２５が正常に動作しなくなったと第二記憶部２６が判断した場合は、図７に示すように、主の記憶部を第一記憶部２５から第二記憶部２６に切り換えて、搬送車制御システム１５の制御状態を第三状態に切り換える。
このように、搬送車制御システム１５の制御状態は、第一記憶部２５及び第一指示部２７が正常に動作している状態では、第一状態となり、第一状態において第一記憶部２５が正常に動作しなくなった場合で且つ第二記憶部２６が正常に動作している場合に、第三状態となる。そして、搬送車制御システム１５は、第三状態において、第二記憶部２６が、第一搬送情報と記憶部情報とに基づいて第一搬送情報を第一指示部２７に送信すると共に、第一指示部２７が、装置情報と第一搬送情報とに基づいて対象物品搬送車３Ｔに第二搬送情報を送信する。
対象物品搬送車３Ｔに第二搬送情報を送信することについて説明を加えると、搬送車制御システム１５の制御状態が第一状態から第三状態に切り換えられた当初は、第一状態において下位管理装置１４から第一搬送情報を受信しているにも関わらず当該第一搬送情報を第一指示部２７に送信していない場合があり、このような場合は、第二記憶部２６は、第一状態において共有していた記憶部情報のみに基づいて第一指示部２７に第一搬送情報を送信する。そして、搬送車制御システム１５の制御状態が、第一状態から第三状態に切り換えられた後、新たに第一搬送情報を受信した場合に、この第一搬送情報に基づいて第一搬送情報を第一指示部２７に送信する。
【００３５】
次に、第一状態において、第一記憶部２５と第一指示部２７との双方が正常に動作しなくなった場合について説明する。
搬送車制御システム１５は、第一状態において、第一指示部２７と第一記憶部２５との双方が正常に動作しなくなったと第二記憶部２６が判断した場合は、図９に示すように、指示用の指示部を第一指示部２７から第二指示部２８に切り換えると共に、主の記憶部を第一記憶部２５から第二記憶部２６に切り換えて、搬送車制御システム１５の制御状態を第四状態に切り換える。
このように、搬送車制御システム１５の制御状態は、第一記憶部２５及び第一指示部２７が正常に動作している状態では、第一状態となり、第一状態において第一指示部２７と第一記憶部２５との双方が正常に動作しなくなった場合で且つ第二指示部２８及び第二記憶部２６が正常に動作している場合に、第四状態となる。そして、搬送車制御システム１５は、第四状態において、第二記憶部２６が、第一搬送情報と記憶部情報に基づいて、第一搬送情報を第二指示部２８に送信すると共に、第二指示部２８が、第一搬送情報と装置情報と指示部情報に基づいて対象物品搬送車３Ｔに第二搬送情報を送信する。
【００３６】
次に、図１６から図２０に基づいて、第一状態において、第一記憶部２５及び第二記憶部２６をアップデートする場合について説明する。第一記憶部２５及び第二記憶部２６のアップデートは、例えば、搬送車制御システム１５にアップデート用の端末を接続し、その端末を操作することで開始される。
搬送車制御システム１５は、第一状態において第一記憶部２５及び第二記憶部２６をアップデートする場合は、次のように、第一アップデート処理、第一アップデート処理後の動作確認処理、第二アップデート処理、第二アップデート処理後の動作確認処理を行う。
【００３７】
図１６に示すように、第一アップデート処理では、第二記憶部２６と下位管理装置１４及び第一記憶部２５との通信を切断し、第二記憶部２６のアップデートを行う。つまり、第一アップデート処理を実行している間は、第二記憶部２６と下位管理装置１４や第一記憶部２５との間での情報の通信は行われない。
そして、図１７に示すように、第一アップデート処理が完了した後、第一記憶部２５から第二記憶部２６に装置情報を送信して、第一記憶部２５と第二記憶部２６とで記憶部情報を共有する。その後、第一記憶部２５及び第一指示部２７の動作と並行して第二記憶部２６及び第二指示部２８を動作させてこれら第二記憶部２６及び第二指示部２８の動作確認処理を行う。第一アップデート処理後の動作確認処理では、第二記憶部２６と第二指示部２８との間で装置情報や第一搬送情報等の情報を送受信すると共に、これら第二記憶部２６と第二指示部２８とを作動させて、第二記憶部２６と第二指示部２８とが正常に動作するか確認する。
【００３８】
搬送車制御システム１５は、第一アップデート処理後における動作確認処理において、第二記憶部２６と第二指示部２８との双方に問題が生じなければ、第一状態から第三状態に切り換えた後、第二アップデート処理を行う。
図１８に示すように、第二アップデート処理では、第一記憶部２５の下位管理装置１４からの受信及び第二記憶部２６からの受信を切断し、第一記憶部２５のアップデートを行う。つまり、第二アップデート処理を実行している間は、第一記憶部２５と下位管理装置１４や第二記憶部２６との間での情報の送受信は行われない。
そして、図１９に示すように、第二アップデート処理が完了した後、第二記憶部２６から第一記憶部２５に第一搬送情報を送信して、第一記憶部２５と第二記憶部２６とで記憶部情報を共有し、その後、第二記憶部２６及び第一指示部２７の動作と並行して第一記憶部２５及び第二指示部２８の動作確認処理を行い、この動作確認処理が完了した後、図２０に示すように、第一状態に復帰する。第二アップデート処理後の動作確認処理では、第一記憶部２５と第二指示部２８との間で装置情報や第一搬送情報等の情報を送受信すると共に、これら第一記憶部２５と第二指示部２８とを動作させて、第一記憶部２５と第二指示部２８とが正常に動作するか確認する。
【００３９】
次に、図１１から図１５に基づいて、第一状態において、第一指示部２７及び第二指示部２８をアップデートする場合について説明する。第一指示部２７及び第二指示部２８のアップデートは、例えば、搬送車制御システム１５にアップデート用の端末を接続し、その端末を操作することで開始される。
搬送車制御システム１５は、第一状態において第一指示部２７及び第二指示部２８をアップデートする場合は、次のように、第三アップデート処理、第三アップデート処理後の動作確認処理、第四アップデート処理、第四アップデート処理後の動作確認処理を行う。
【００４０】
図１１に示すように、第三アップデート処理では、第二指示部２８と第一記憶部２５及び第一指示部２７との通信を切断し、第二指示部２８のアップデートを行う。つまり、第三アップデート処理を実行している間は、第二指示部２８と第一記憶部２５や第一記憶部２５との間での情報の送受信は行われない。
そして、図１２に示すように、第三アップデート処理が完了した後、第一指示部２７から第二指示部２８に情報を送信して、第一指示部２７と第二指示部２８とで指示部情報を共有する。その後、第一記憶部２５及び第一指示部２７の動作と並行して第二記憶部２６及び第二指示部２８を動作させてこれら第二記憶部２６及び第二指示部２８の動作確認処理を行う。第三アップデート処理後の動作確認処理では、第二記憶部２６と第二指示部２８との間で装置情報や第一搬送情報等の情報を送受信すると共に、これら第二記憶部２６と第二指示部２８とを動作させて、第二記憶部２６と第二指示部２８とが正常に動作するか確認する。
【００４１】
搬送車制御システム１５は、第三アップデート処理後における動作確認処理において、第二記憶部２６と第二指示部２８との双方に問題が生じなければ、第一状態から第二状態に切り換えた後、第四アップデート処理を行う。
図１３に示すように、第四アップデート処理では、第一指示部２７と第二記憶部２６及び第二指示部２８との通信を切断し、第一指示部２７のアップデートを行う。つまり、第四アップデート処理を実行している間は、第一指示部２７と第二記憶部２６や第二指示部２８との間での情報の送受信は行われない。
そして、図１４に示すように、第四アップデート処理が完了した後、第二指示部２８から第一指示部２７に情報を送信して、第一指示部２７と第二指示部２８とで指示部情報を共有し、その後、第一記憶部２５及び第二指示部２８の動作と並行して第二記憶部２６及び第一指示部２７の動作確認処理を行い、この動作確認処理が完了した後、図１５に示すように、第一状態に復帰する。第四アップデート処理後の動作確認処理では、第二記憶部２６と第一指示部２７との間で装置情報や第一搬送情報等の情報を送受信すると共に、これら第二記憶部２６と第一指示部２７とを動作させて、第二記憶部２６と第一指示部２７とが正常に動作するか確認する。
【００４２】
２．その他の実施形態
次に、物品搬送設備のその他の実施形態について説明する。
【００４３】
（１）上記実施形態では、第一状態において、第一指示部２７が正常に動作しなくなった場合は、搬送車制御システム１５は、第一状態から第二状態に切り換えた後、第一指示部２７が正常に動作するようになっても第二状態を維持させたが、搬送車制御システム１５は、第一状態から第二状態に切り換えた後、第一指示部２７が正常に動作するようになるに伴って第一状態を復帰させてもよい。
また、同様に、搬送車制御システム１５は、第一状態から第三状態に切り換えた後、第一記憶部２５が正常に動作するようになるに伴って第一状態を復帰させてもよい。また、搬送車制御システム１５は、第一状態から第四状態に切り換えた後、第一記憶部２５及び第一指示部２７が正常に動作するようになるに伴って第一状態を復帰させてもよい。
【００４４】
（２）上記実施形態では、第一記憶部２５及び第二記憶部２６をアップデートが完了した後、第一状態に復帰させたが、第一記憶部２５及び第二記憶部２６のアップデートが完了した後、第一状態に復帰させなくてもよい。また、第一指示部２７及び第二指示部２８をアップデートが完了した後、第一状態に復帰させたが、第一指示部２７及び第二指示部２８のアップデートが完了した後、第一状態に復帰させなくてもよい。
【００４５】
（３）上記実施形態では、第一アップデート処理後の動作確認処理において、第二記憶部２６と第二指示部２８との動作確認を行ったが、第一アップデート処理後の動作確認処理において、アップデートした第二記憶部２６のみの動作確認を行ってもよい。
また、第二アップデート処理後の動作確認処理において、第一記憶部２５と第二指示部２８との動作確認を行ったが、第二アップデート処理後の動作確認処理において、アップデートした第一記憶部２５のみの動作確認を行ってもよい。
また、第三アップデート処理後の動作確認処理において、第二記憶部２６と第二指示部２８との動作確認を行ったが、第三アップデート処理後の動作確認処理において、アップデートした第二指示部２８のみの動作確認を行ってもよい。
また、第四アップデート処理後の動作確認処理において、第二記憶部２６と第一指示部２７との動作確認を行ったが、第四アップデート処理後の動作確認処理において、アップデートした第一指示部２７のみの動作確認を行ってもよい。
【００４６】
（４）なお、上述した各実施形態で開示された構成は、矛盾が生じない限り、他の実施形態で開示された構成と組み合わせて適用することも可能である。その他の構成に関しても、本明細書において開示された実施形態は全ての点で単なる例示に過ぎない。従って、本開示の趣旨を逸脱しない範囲内で、適宜、種々の改変を行うことが可能である。
【００４７】
３．上記実施形態の概要
以下、上記において説明した物品搬送設備の概要について説明する。
【００４８】
物品搬送設備は、物品を搬送する複数の搬送装置を制御する制御システムを備え、
前記制御システムは、管理装置と機械的に分離されると共に、前記管理装置からの第一搬送情報に基づいて複数の前記搬送装置に向けて第二搬送情報を送信する第一サーバー及び第二サーバーを備え、前記第一サーバーは、第一記憶部と第一指示部とを備え、前記第二サーバーは、前記第一サーバーと機械的に分離されると共に、第二記憶部と第二指示部とを備え、前記第一記憶部は、前記管理装置からの前記第一搬送情報を受信して記憶すると共に前記第一搬送情報を前記第一指示部又は前記第二指示部に送信可能に構成され、前記第二記憶部は、前記管理装置からの前記第一搬送情報を受信して記憶すると共に前記第一搬送情報を前記第一指示部又は前記第二指示部に送信可能に構成され、前記第一指示部は、前記第一記憶部又は前記第二記憶部からの前記第一搬送情報と、複数の前記搬送装置の状態を示す装置情報と、に基づいて、複数の前記搬送装置のうちから対象搬送装置を選択して前記対象搬送装置に前記第二搬送情報を送信可能に構成され、前記第二指示部は、前記第一搬送情報と前記装置情報とに基づいて、前記対象搬送装置を選択して前記対象搬送装置に前記第二搬送情報を送信可能に構成され、前記制御システムの制御状態には、前記第一記憶部が受信した前記第一搬送情報に基づいて、前記第一指示部と前記第二指示部とのうち、前記第一指示部から前記対象搬送装置に前記第二搬送情報を送信する第一状態と、前記第一記憶部が受信した前記第一搬送情報に基づいて、前記第一指示部と前記第二指示部とのうち、前記第二指示部から前記対象搬送装置に前記第二搬送情報を送信する第二状態と、が含まれ、前記第一記憶部及び前記第一指示部が正常に動作している状態では、前記第一状態となり、前記第一状態において前記第一指示部が正常に動作しなくなった場合で且つ前記第二指示部が正常に動作している場合に、前記第二状態となり、前記第一状態では、前記第一記憶部が、前記第一搬送情報を前記第一指示部に送信すると共に、前記第一指示部が、前記装置情報と前記第一搬送情報とに基づいて前記対象搬送装置に前記第二搬送情報を送信し、且つ、前記第二指示部に前記装置情報及び前記第一搬送情報を送信して、前記第一指示部と前記第二指示部とで指示部情報を共有し、前記第二状態では、前記第一記憶部が、前記第一搬送情報を前記第二指示部に送信すると共に、前記第二指示部が、前記指示部情報に基づいて前記対象搬送装置に前記第二搬送情報を送信する。
【００４９】
この構成によれば、第一状態の搬送システムでは、第一記憶部は、管理装置からの第一搬送情報を第一指示部に送信し、第一指示部は、第一記憶部からの第一搬送情報と複数の搬送装置の状態を示す装置情報とに基づいて、複数の搬送装置のうちから対象搬送装置を選択して対象搬送装置に第二搬送情報を送信することができる。また、この第一状態の搬送システムでは、第二指示部にも装置情報及び第一搬送情報が送信されているため、第一指示部と第二指示部とで、装置情報及び第一搬送情報を含む指示部情報を共有できる。
そして、搬送システムが第一状態で運用している状態において第一指示部に異常が生じた場合には、搬送システムの制御状態を第一状態から第二状態に切り換えることによって、第二指示部が、指示部情報に基づいて対象搬送装置に第二搬送情報を送信する。つまり、上述の如く、第一指示部に異常が生じた場合でも、第二搬送情報を対象搬送装置に送信できるため、搬送装置による物品の搬送の停止を回避できる。
そして、搬送システムは、制御状態が第一状態の場合と第二状態の場合との双方で管理装置からの第一搬送情報を受信できるため、搬送システムに送信すべき第一搬送情報が管理装置に蓄積することによる管理装置の負荷の増大を回避できる。
【００５０】
ちなみに、制御システムの制御状態が第一状態から第二状態に切り換えられた当初は、第二状態になったから第二指示部が新たに第一搬送情報や装置情報を受信していない場合があり、このような場合は、第二指示部は、第一状態において共有していた指示部情報に基づいて対象物品搬送車を選択して当該対象物品搬送車に第二搬送情報を送信できる。
そして、制御システムの制御状態が、第一状態から第二状態に切り換えられた後、対象物品搬送車を選択して当該対象物品搬送車に第二搬送情報を送信することが可能となる分の第一搬送情報と装置情報を第二指示部が受信している場合は、第二指示部は、第一状態の第一指示部と同様に、第二状態に切り換わってから受信した第一搬送情報と装置情報とに基づいて対象物品搬送車を選択して当該対象物品搬送車に第二搬送情報を送信できる。
【００５１】
ここで、前記制御システムの制御状態には、更に、前記第二記憶部が受信した前記第一搬送情報に基づいて、前記第一指示部と前記第二指示部とのうち、前記第一指示部から前記対象搬送装置に前記第二搬送情報を送信する第三状態が含まれ、前記第一状態において前記第一記憶部が正常に動作しなくなった場合で且つ前記第二記憶部が正常に動作している場合に、前記第三状態となり、前記第一状態では、前記第一搬送情報を前記第二記憶部に送信して、前記第一記憶部と前記第二記憶部とで記憶部情報を共有し、前記第三状態では、前記第二記憶部が、前記記憶部情報に基づいて前記第一搬送情報を前記第一指示部に送信すると共に、前記第一指示部が、前記装置情報と前記第一搬送情報とに基づいて前記対象搬送装置に前記第二搬送情報を送信すると好適である。
【００５２】
この構成によれば、第一状態の搬送システムでは、第二記憶部にも第一搬送情報が送信されているため、第一記憶部と第二記憶部とで、第一搬送情報を含む記憶部情報を共有できる。
そして、搬送システムが第一状態で運用している状態において第一記憶部に異常が生じた場合には、搬送システムの制御状態を第一状態から第三状態に切り換えることによって、第一記憶部が、記憶部情報に基づいて第一搬送情報を第一指示部に送信でき、第一指示部は、装置情報と第一搬送情報とに基づいて対象搬送装置に第二搬送情報を送信できる。つまり、上述の如く、第一記憶部に異常が生じた場合でも、第一搬送情報を第一指示部に送信できるため、搬送装置による物品の搬送の停止を回避できる。
そして、搬送システムは、制御状態が第三状態の場合でも管理装置からの第一搬送情報を受信することができるため、搬送システムに送信すべき第一搬送情報が管理装置に蓄積することによる管理装置の負荷の増大を回避できる。
【００５３】
また、前記制御システムは、前記第一状態において第一アップデート処理を行い、前記第一アップデート処理は、前記第二記憶部の前記管理装置及び前記第一記憶部との通信を切断し、前記第二記憶部のアップデートを行い、前記第一アップデート処理が完了した後、前記第一記憶部から前記第二記憶部に情報を送信して、前記第一記憶部と前記第二記憶部とで前記記憶部情報を共有し、その後、前記第一記憶部及び前記第一指示部の動作と並行して前記第二記憶部及び前記第二指示部を動作させてこれら前記第二記憶部及び前記第二指示部の動作確認処理を行うと好適である。
【００５４】
この構成によれば、第一状態において第一アップデート処理を行うことで、第二記憶部と管理装置及び第一記憶部との通信を切断し、第二記憶部のアップデートを行う。このように第一アップデート処理行うことによって、第一搬送情報を受信する第一記憶部や第二搬送情報を送信する第一指示部に影響を与えることなく、第二記憶部のアップデートを行うことができる。
また、第一アップデート処理が完了した後に、第一記憶部と第二記憶部とで記憶部情報を共有し、その後、第一記憶部及び第一指示部の動作と並行して第二記憶部及び第二指示部を動作させてこれら第二記憶部及び第二指示部の動作確認処理を行うことで、第一搬送情報を受信する第一記憶部や第二搬送情報を送信する第一指示部に影響を与えることなく、第二記憶部の動作確認、及び、第二記憶部と第二指示部との間で通信を行ったときの動作確認を行うことができる。
【００５５】
また、前記制御システムは、前記第一アップデート処理後における動作確認処理において問題が生じなければ、前記第一状態から前記第三状態に切り換えた後、第二アップデート処理を行い、第二アップデート処理は、前記第一記憶部と前記管理装置及び前記第二記憶部との通信を切断し、前記第一記憶部のアップデートを行い、前記第二アップデート処理が完了した後、前記第二記憶部から前記第一記憶部に情報を送信して、前記第一記憶部と前記第二記憶部とで前記記憶部情報を共有し、その後、前記第二記憶部及び前記第一指示部の動作と並行して前記第一記憶部及び前記第二指示部の動作確認処理を行い、この動作確認処理が完了した後、前記第一状態に復帰すると好適である。
【００５６】
この構成によれば、第三状態において第二アップデート処理を行うことで、第一記憶部と管理装置及び第二記憶部との通信を切断し、第一記憶部のアップデートを行う。このように第二アップデート処理行うことによって、第一搬送情報を受信する第二記憶部や第二搬送情報を送信する第一指示部に影響を与えることなく、第一記憶部のアップデートを行うことができる。
また、第二アップデート処理が完了した後に、第一記憶部と第二記憶部とで記憶部情報を共有し、その後、第二記憶部及び第一指示部の動作と並行して第一記憶部及び第二指示部を動作させてこれら第二記憶部及び第二指示部の動作確認処理を行うことで、第一搬送情報を受信する第一記憶部や第二搬送情報を送信する第一指示部に影響を与えることなく、第一記憶部の動作確認、及び、第一記憶部と第二指示部との間で通信を行ったときの動作確認を行うことができる。
【００５７】
また、前記制御システムの制御状態には、前記第一状態、前記第二状態及び前記第三状態に加えて、前記第二記憶部が受信した搬送情報に基づいて、前記第一指示部と前記第二指示部とのうち、前記第二指示部から前記対象搬送装置に前記搬送情報を送信する第四状態が含まれ、前記第一記憶部、前記第一指示部、前記第二記憶部、及び前記第二指示部が正常に動作している状態では、前記第一状態となり、前記第一状態において前記第一記憶部及び前記第一指示部の双方が正常に動作しなくなった場合には、前記第四状態となり、前記第四状態は、前記第二記憶部が、前記記憶部情報に基づいて、前記第一搬送情報を前記第二指示部に送信すると共に、前記第二指示部が、前記指示部情報に基づいて前記対象搬送装置に前記第二搬送情報を送信すると好適である。
【００５８】
この構成によれば、搬送システムが第一状態で運用している状態において第一記憶部と第一指示部との双方に異常が生じた場合には、搬送システムの制御状態を第一状態から第四状態に切り換えることによって、第二記憶部が、記憶部情報に基づいて第一搬送情報を第一指示部に送信でき、第二指示部は、装置情報と第一搬送情報とに基づいて対象搬送装置に第二搬送情報を送信できる。つまり、上述の如く、第一記憶部と第一指示部との双方に異常が生じた場合でも、第一搬送情報を対象搬送装置に送信できるため、搬送装置による物品の搬送の停止を回避できる。
そして、搬送システムは、制御状態が第四状態の場合でも管理装置からの第一搬送情報を受信することができるため、搬送システムに送信すべき第一搬送情報が管理装置に蓄積することによる管理装置の負荷の増大を回避できる。
【００５９】
また、複数の前記搬送装置が、天井近くに設置された走行レールに沿って走行して物品を搬送する天井搬送車であって、
前記第一搬送情報及び前記第二搬送情報が、前記天井搬送車によって物品を搬送する搬送元と搬送先とを示す情報であると好適である。
【００６０】
この構成によれば、第一指示部に異常が生じた場合でも、搬送元と搬送先とを示す第二搬送情報を天井搬送車に送信できるため、天井搬送車は第二搬送情報に基づいて物品を搬送元から搬送先に搬送することができ、天井搬送車による物品の搬送の停止を回避できる。
【産業上の利用可能性】
【００６１】
本開示に係る技術は、物品を搬送する複数の搬送装置を制御する制御システムを備えた物品搬送設備に利用することができる。
【符号の説明】
【００６２】
３：物品搬送車（搬送装置、天井搬送車）
１４：下位管理装置（管理装置）
１５：搬送車制御システム（制御システム）
２３：第一サーバー
２４：第二サーバー
２５：第一記憶部
２６：第二記憶部
２７：第一指示部
２８：第二指示部
【図１】
2018128863.tif 000003
【図２】
2018128863.tif 000004
【図３】
2018128863.tif 000005
【図４】
2018128863.tif 000006
【図５】
2018128863.tif 000007
【図６】
2018128863.tif 000008
【図７】
2018128863.tif 000009
【図８】
2018128863.tif 000010
【図９】
2018128863.tif 000011
【図１０】
2018128863.tif 000012
【図１１】
2018128863.tif 000013
【図１２】
2018128863.tif 000014
【図１３】
2018128863.tif 000015
【図１４】
2018128863.tif 000016
【図１５】
2018128863.tif 000017
【図１６】
2018128863.tif 000018
【図１７】
2018128863.tif 000019
【図１８】
2018128863.tif 000020
【図１９】
2018128863.tif 000021
【図２０】
2018128863.tif 000022